(57)【要約】【課題】軽量で、消費電力が小さく、家庭用交流１００Ｖ電源やバッテリー電源で使用可能で、故障が少なく、水濡れ対策が容易で、小型漁船や活魚輸送車、養殖場等に好適な酸素発生装置を提供する。【解決手段】ブロワー３と、空気中の窒素を吸着分離し酸素を取り出す一対の吸着槽４Ａおよび４Ｂと、酸素を貯蔵する貯蔵槽５を配置し、大気中の空気をエアー入口１からブロワー３で取り込んで、切替弁８を介し吸着槽４Ａあるいは４Ｂへ送り込み、窒素を吸着分離して、純度７０〜８０％となった酸素を貯蔵槽５に貯蔵し、窒素はパージ弁１２の操作によりパージして大気中に放出し、流量制御弁１８を制御して貯蔵槽５内の酸素を酸素出口２から所定流量で排出する。【選択図】        図１
2004255240.tif 000002
【特許請求の範囲】
【請求項１】
大気中の空気をブロワーで取り込んで吸着槽に送り込み、窒素を吸着槽において吸着分離し、所定純度の酸素として吐出することを特徴とする酸素発生装置。
【請求項２】
前記ブロワーとして、家庭用電源対応またはバッテリー電源対応の気体用ポンプを用いた、請求項１記載の酸素発生装置。
【請求項３】
前記吸着槽から取り出した所定純度の酸素を貯蔵する貯蔵槽を設けた、請求項１記載の酸素発生装置。
【発明の詳細な説明】
【０００１】
【発明の属する技術分野】
本発明は、酸素発生装置に関し、特に、活魚輸送車、小型漁船、養殖場等で使用するのに好適な酸素発生装置に関する。
【０００２】
【従来の技術】
大気中の空気をコンプレッサーにより圧縮して吸着タンクに送り、窒素を吸着分離して高純度の酸素ガスを得るコンプレッサー内蔵型の酸素発生装置は従来から知られている。
【０００３】
【発明が解決しようとする課題】
しかし、コンプレッサーを使用した従来の酸素発生装置は、重量が大きく、消費電力も大きく、屋外で使用する場合は発電機が必要で、また、故障要因が多く、水濡れ禁物であるなど、小型漁船や活魚輸送車、養殖場等で使用するには適さないものであった。そのため、活魚輸送車等では、酸素ボンベを搭載するのが普通で、酸素ボンベが重く、交換する必要もあって、スペース、コスト並びに取扱い上の問題が大きかった。
【０００４】
本発明は、こうした問題を解決するもので、軽量で、消費電力が小さく、家庭用交流１００Ｖ電源やバッテリー電源で使用可能で、故障が少なく、水濡れ対策が容易な酸素発生装置を提供することを目的とする。
【０００５】
【課題を解決するための手段】
本発明は、大気中の空気をブロワーで取り込んで吸着槽に送り込み、窒素を吸着槽において吸着分離し、所定純度の酸素として吐出する酸素発生装置を提供するものである。ブロワーとしては、家庭用電源対応またはバッテリー電源対応の気体用ポンプを用いるのがよい。また、吸着槽から取り出した所定純度の酸素を貯蔵する貯蔵槽を設けるのがよい。
【０００６】
この酸素発生装置は、大気中の空気をブロワーで取り込んで吸着槽に送り込むことにより、純度７０〜８０％の酸素を発生するようにでき、コンプレッサーを使用した従来の酸素発生装置の場合の９０％以上という酸素純度には及ばないものの、小型漁船や活魚輸送車、養殖場等で使用するには十分で、そうした小型漁船や活魚輸送車、養殖場等で、酸素ボンベが無くても酸素を供給できる。そして、コンプレッサーを使用せず、ブロワーを使用するので、小型軽量な装置とすることができ、家庭用電源対応やバッテリー電源対応とすることができるため、発電機が不要で、１２Ｖあるいは２４Ｖのバッテリー電源を備えた小型漁船や活魚輸送車で使用でき、また、養殖場等においても家庭用電源で使用できる。また、コンプレッサーや発電機を使用しないので、故障が少なく、水濡れ対策も容易である。
【０００７】
【発明の実施の形態】
以下、本発明の実施の形態を図面に基づいて説明する。
【０００８】
図１は本発明の実施の形態の一例を示している。この実施の形態の酸素発生装置は、エアー入口１から大気中の空気を吸い込み、窒素を分離して、酸素出口２から酸素を吐出するもので、例えば、市販の家庭用交流１００Ｖ電源対応のダイアフラム式エアーポンプを用いたブロワー３と、空気中の窒素を吸着分離し酸素を取り出す一対の吸着槽４Ａおよび４Ｂと、空気から窒素を分離して発生した酸素を貯蔵する貯蔵槽５を備えている。吸着槽４Ａおよび４Ｂは基本的に従来の酸素発生装置のものと同様である。
【０００９】
そして、エアー入口１にブロワー３吸込側の配管６が接続され、その配管６の途中にフィルター７が配置されている。また、ブロワー３の吐出側の配管８は５ポート電磁弁からなる切替弁８の１ポートに接続されている。そして、切替弁８の他の２ポートには吸着槽４Ａおよび４Ｂの各底部入口側の配管９Ａおよび９Ｂが接続され、さらに他の２ポートにはサイレンサー１０Ａおよび１０Ｂが接続されている。
【００１０】
そして、各吸着槽４Ａおよび４Ｂの頂部に、窒素ガスパージ用の配管１１Ａおよび１１Ｂが設けられ、それらの配管１１Ａおよび１１Ｂが３ポート電磁弁（２方弁）からなるパージ弁１２の２ポートに接続されている。また、各吸着槽４Ａおよび４Ｂの頂部には、酸素ガス取出し用の配管１３Ａおよび１３Ｂが設けられ、それらの配管１３Ａおよび１３Ｂがそれぞれ逆止弁１４Ａおよび１４Ｂを介して１本の配管１５に接続され、その配管１５が貯蔵槽５の入口側に接続されている。
【００１１】
そして、貯蔵槽５出口側の配管１６が酸素出口２に接続され、その配管１６の途中に流量計１７および電磁式の流量制御弁１８が配設されている。
【００１２】
この酸素発生装置では、大気中の空気をエアー入口１からブロワー３で取り込み、切替弁８を介して吸着槽４Ａおよび４Ｂの一方へ送り込む。そして、吸着槽４Ａまたは４Ｂにて窒素を吸着分離し、純度７０〜８０％となった酸素を貯蔵槽５へ送り出し、貯蔵する。また、パージ弁１２の操作により、休止中の吸着槽４Ａまたは４Ｂから、吸着分離した窒素を空気とともにパージし、大気中に放出する。そして、流量制御弁１８の制御により、貯蔵槽５内の酸素を酸素出口２から所定流量で排出する。
【００１３】
この酸素発生装置は、家庭用交流１００Ｖ電源を使用でき、また、１２Ｖ、２４Ｖ等のバッテリー電源をインバータで交流１００Ｖに変換して使用でき、純度７０〜８０％の酸素を発生するようにできる。また、軽量で、コンプレッサーや発電機を使用しないので故障が少なく、水濡れ対策も容易である。そのため、小型漁船や活魚輸送車、養殖場等で使用するのに好適である。
【００１４】
なお、本発明の酸素発生装置に使用するブロワーは、家庭用電源対応またはバッテリー電源対応の気体用ポンプを用いたものであればよく、上記ダイアフラム式エアーポンプに限らない。
【００１５】
その他、本発明は、特許請求の範囲に係る技術的思想の範囲で適宜変更して実施することができることは勿論である。
【００１６】
【発明の効果】
以上説明したように、本発明の酸素発生装置は、コンプレッサーを使用せずブロワーにより吸着槽に空気を送り込むことで高純度の酸素を発生することができ、軽量で、消費電力が小さく、家庭用交流１００Ｖ電源やバッテリー電源で使用可能で、故障が少なく、水濡れ対策が容易な酸素発生装置とすることができる。そのため、特に、小型漁船や活魚輸送車、養殖場等で使用するのに好適で、酸素ボンベが無くても酸素を供給できる。
【図面の簡単な説明】
【図１】本発明の実施の形態に係る酸素発生装置の概略システム図である。
【符号の説明】
１  エアー入口
２  酸素出口
３  ブロワー
４Ａ、４Ｂ  吸着槽
５  貯蔵槽
８  切替弁
１０  パージ弁
１７  流量計
１８  流量制御弁
【図１】
2004255240.tif 000003